【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
少なくとも３台の装置と装置間を接続する外部接続手段とを備えた通信システムであって、
上記装置のそれぞれは、
他の装置との間のデータ送受信を制御する通信ドライバ・レシーバ部と、
一対のコネクタと、
上記一対のコネクタ間を接続するとともに上記通信ドライバ・レシーバ部に接続された一対の通信線を含む内部配線路と、
上記一対の通信線に対しに選択的に接続可能に配置された終端抵抗と、
上記通信線と上記終端抵抗の間に配置されたスイッチと、
上記スイッチを制御する制御手段と、
上記コネクタが上記外部接続手段に接続されているかどうかを判定する判定手段と、を有し、
上記通信システムのシリアル通信経路の終端に位置する二装置はそれぞれ、上記一対のコネクタの一方が上記外部接続手段を介して他の装置のコネクタに接続され他方のコネクタが上記外部接続手段に接続されない状態となり、上記シリアル通信経路の中間に位置する装置は上記一対のコネクタが上記外部接続手段を介してそれぞれ他の装置のコネクタに接続されることで、上記コネクタを介して接続された上記内部配線路と上記外部接続手段が上記シリアル通信経路を構成し、上記少なくとも３台の装置が互いにシリアル接続され、
上記装置それぞれの上記制御手段は、
上記判定手段が上記一対のコネクタの両方に上記外部接続手段が接続された状態を検知した上記装置においては、上記スイッチが終端抵抗を上記内部配線路に接続しない状態とし、
上記判定手段が上記一対のコネクタのいずれか一方のみに上記外部通信線が接続された状態を検知した上記装置においては、上記スイッチが終端抵抗を上記内部配線路に接続する状態とする制御を行うように構成されてなるシリアル通信システム。
【請求項２】
請求項１において、
上記外部接続手段は、通信線と、その両端に配置された一対のコネクタと、を有し、
上記外部接続手段の一対のコネクタをそれぞれ二装置の対応するコネクタに接続することで当該二装置がシリアル接続されるように構成されており、
上記装置の上記一対のコネクタの一方の配線と対応する上記外部接続手段のコネクタの配線とは対応する接続関係に配置され、当該コネクタ間の接続により第１信号の伝達経路が形成される構成を備えており、
上記装置の上記一対のコネクタの他方の配線と対応する上記外部接続手段のコネクタの配線は対応する関係に配置され、当該コネクタ間の接続により第２信号の伝達経路が形成される構成を備えており、
上記制御手段は、第１信号及び第２信号の論理和信号により上記スイッチの制御信号を形成するシリアル通信システム。
【請求項３】
請求項２において、
上記外部接続手段は、上記通信線をシールドするシールド線を含むものであり、
上記第１信号及び第２信号は、上記シールド線により伝えられる接地電位であるシリアル通信システム。
【請求項４】
請求項２において、
上記外部接続手段は、上記判定手段を構成する接続判定線を含むものであり、
上記第１信号及び第２信号は、上記接続判定線により伝えられる２値信号のいずれか一方であるシリアル通信システム。
【請求項５】
第１型装置と、少なくとも２台の第２型装置と、上記装置間を接続する通信線と制御線を含む外部接続手段とを備えた通信システムであって、
上記第１型装置は、
他の装置との間のデータ送受信を制御する通信ドライバ・レシーバ部と、
一のコネクタと、
通信ドライバ・レシーバ部と上記コネクタとの間を接続する通信線と制御信号を伝達する制御線とを含む内部通信経路と、
上記通信線に接続された終端抵抗と、を有し、
上記第２型装置のそれぞれは、
他の装置との間のデータ送受信を制御する通信ドライバ・レシーバ部と、
第１及び第２のコネクタと、
上記第１及び第２のコネクタ間を接続するとともに上記通信ドライバ・レシーバ部に接続された一対の通信線と、
制御信号を伝達する制御線とを含む内部配線路と、
上記一対の通信線に対して選択的に接続可能にされた終端抵抗と、
上記通信線と上記終端抵抗の間に配置されたスイッチと、
上記スイッチを制御する制御手段と、
上記第２のコネクタが上記外部接続手段に接続されているかどうかを判定する判定手段と、を有し、
上記第１型装置は上記通信システムのシリアル通信経路の一方の終端に位置し、上記第２装置のいずれか一方が他方の終端に位置し、他の上記第２型装置が中間に位置するように、上記装置がそれぞれ対応する上記コネクタを介して上記外部接続手段に接続されることで上記内部配線路と上記外部接続手段が上記シリアル通信経路を構成し、上記装置が互いにシリアル接続され、
上記第２型装置それぞれの上記制御手段は、
上記判定手段が上記第２コネクタに上記接続手段が接続されない状態にあると判定した上記第２型装置においては、上記スイッチが上記終端抵抗を上記内部配線路の通信線に接続する状態とし、上記第１コネクタを介して上記外部接続手段の制御線に対して２値信号のいずれか一方の信号を出力し、
上記判定手段が上記第２コネクタに上記接続手段が接続された状態にあると判定した上記第２型装置においては、上記スイッチが上記終端抵抗を上記内部配線路の通信線に接続しない状態とし、上記第１コネクタを介して上記外部接続手段の制御線に対して上記第２コネクタを介して入力された上記一方の信号を出力する制御を行うように構成されてなるシリアル通信システム。
【請求項６】
少なくとも３台の装置と、上記装置間を接続する外部接続手段と、を備えた通信システムであって、
上記装置のそれぞれは、
他の装置との間のデータ送受信を制御する通信ドライバ・レシーバ部と、
第１及び第２コネクタと、
上記第１及び第２コネクタ間を接続するとともに上記通信ドライバ・レシーバ部に接続された一対の通信線と、制御信号を伝達する制御線とを含む内部通信経路と、
上記通信線に対して選択的に接続可能にされた終端抵抗と、
上記通信線と上記終端抵抗の間に配置されたスイッチと、
上記スイッチを制御する制御手段と、
上記第２コネクタが上記外部接続手段に接続されているかどうかを判定する判定手段と、を有し、
上記少なくとも３台の装置は、第１の装置の第２コネクタを上記外部接続手段を介して第２の装置の第１コネクタに、上記第２の装置の第２コネクタを上記外部接続手段を介して第３の装置の第１コネクタにそれぞれ接続することで、上記装置の内部通信経路と上記装置間を接続する上記外部接続手段とによって上記通信システムのシリアル通信経路を構成し、上記装置が該シリアル通信経路によって互いにシリアル接続され、
上記外部接続手段は、上記装置の上記通信線にそれぞれ接続される一対の通信線と、第１制御線と、第２制御線と、を有し、
上記装置の上記制御手段それぞれは、
上記判定手段が上記第２コネクタに上記外部接続手段が接続されない状態にあると判定した上記装置においては、上記第１コネクタを介して上記第１制御線に対して２値信号のいずれか一方の信号を出力し、
上記判定手段が上記第２コネクタに上記外部接続手段が接続された状態にあると判定した上記装置においては、上記第２コネクタを介して入力された上記一方の信号を、上記第１コネクタを介して上記第１制御線に対して出力し、
上記判定手段が上記第１コネクタに上記外部接続手段が接続されない状態にあると判定した上記装置においては、上記第２コネクタを介して上記第２制御線に対して２値信号のいずれか一方の信号を出力し、
上記判定手段が上記第１コネクタに上記外部接続手段が接続された状態にあると判定した上記装置においては、上記第２コネクタを介して入力された上記一方の信号を、上記第２コネクタを介して上記第２制御線に対して出力し、
上記判定手段が上記第２コネクタ及び第１コネクタの双方に上記外部接続手段が接続された状態にあると判定した上記装置においては、上記スイッチを上記終端抵抗を通信経路に接続しない状態にし、
上記判定手段が上記第２コネクタ又は第１コネクタのいずれか一方のみに上記外部接続手段が接続された状態にあると判定した上記装置においては、上記スイッチを終端抵抗を通信経路に接続する状態にする制御をそれぞれ行う構成のシリアル通信システム。
【請求項７】
請求項１ないし６のいずれかにおいて、
上記通信ドライバ及びレシーバは、ＥＩＡ−４８５（ＲＳ−４８５規格）に適合したものであるシリアル通信システム。